(57)【要約】【課題】熱動弁の開故障を適切に検出できる熱供給システムの検査方法を提供する。【解決手段】熱供給システムの検査方法が、複数の熱動弁Ｖのうちの検査対象とする熱動弁Ｖを閉じる指令を与え且つ熱媒体ポンプ７を所定の回転速度で動作させた第１動作状態で熱媒体循環路１０に熱媒体を循環させながら第１の動作状態値を測定する第１測定工程と、検査対象とする熱動弁Ｖを開く指令を与える以外は第１動作状態と同じ第２動作状態で熱媒体循環路１０に熱媒体を循環させながら第２の動作状態値を測定する第２測定工程と、第１の動作状態値と第２の動作状態値との差が所定範囲内であれば、検査対象とする熱動弁Ｖが正常に閉じない異常状態の熱動弁Ｖを含んでいると判定し、第１の動作状態値と第２の動作状態値との差が所定範囲よりも大きければ、検査対象とする熱動弁Ｖが異常状態の熱動弁Ｖを含んでいないと判定する判定工程とを有する。【選択図】図１
2020056544.tif 000002
【特許請求の範囲】
【請求項１】
熱媒体を加熱する熱源機と、
熱媒体が流れる熱媒体循環路とを備え、
熱を消費する熱消費端末に対して、前記熱媒体循環路を介して熱媒体を供給できるように構成されている熱供給システムの検査方法であって、
前記熱媒体循環路は、前記熱消費端末を経由させずに熱媒体を循環させることができる共通流路部分と、当該共通流路部分から複数の前記熱消費端末に向けて分岐し、途中に熱動弁がそれぞれ設けられる複数の個別流路部分とを有し、
前記熱媒体循環路で熱媒体を流すための熱媒体ポンプを備え、
複数の前記熱動弁のうちの検査対象とする熱動弁を閉じる指令を与え且つ前記熱媒体ポンプを所定の回転速度で動作させた第１動作状態で前記熱媒体循環路に熱媒体を循環させながら、前記熱供給システムでの所定の動作状態を表す第１の動作状態値を測定する第１測定工程と、
前記検査対象とする熱動弁を開く指令を与える以外は前記第１動作状態と同じ第２動作状態で前記熱媒体循環路に熱媒体を循環させながら、前記熱供給システムでの前記所定の動作状態を表す第２の動作状態値を測定する第２測定工程と、
前記第１の動作状態値と前記第２の動作状態値との差が所定範囲内であれば前記検査対象とする熱動弁が正常に閉じない異常状態の熱動弁を含んでいると判定し、前記第１の動作状態値と前記第２の動作状態値との差が前記所定範囲よりも大きければ前記検査対象とする熱動弁が前記異常状態の熱動弁を含んでいないと判定する判定工程とを有する熱供給システムの検査方法。
【請求項２】
前記動作状態値は、前記熱媒体ポンプの消費電流値である請求項１に記載の熱供給システムの検査方法。
【請求項３】
前記動作状態値は、前記熱媒体循環路の途中で測定される単位時間当たりの熱媒体の流量である請求項１に記載の熱供給システムの検査方法。
【発明の詳細な説明】
【技術分野】
【０００１】
本発明は、熱媒体を加熱する熱源機と、熱媒体が流れる熱媒体循環路とを備え、熱を消費する熱消費端末に対して、熱媒体循環路を介して熱媒体を供給できるように構成されている熱供給システムの検査方法に関する。
【背景技術】
【０００２】
特許文献１（特開２００１−２４８８４７号公報）には、熱媒体を加熱する熱源機（温水暖房装置１）と、熱媒体が流れる熱媒体循環路（温水往き配管１１、温水戻り配管１２）とを備え、熱を消費する熱消費端末（浴室暖房装置１）に対して、熱媒体循環路を介して熱媒体を供給できるように構成されている熱供給システムが記載されている。このような熱消費端末への熱媒体の供給を行う熱動弁が正常に閉じなくなる開故障が発生した場合、本来は熱媒体が流れない部分にも熱媒体が流れる、即ち、より多くの量の熱媒体を熱源機で加熱しなければならないため、通常よりも多くの熱エネルギーが必要となってしまう。
【０００３】
特許文献１に記載の熱供給システムでは、熱消費端末へ熱媒体を供給する流路を開閉する熱動弁の故障を自己診断することが記載されている。具体的には、この熱供給システムでは、特定の熱消費端末を運転していない場合において、その熱消費端末に熱媒体を供給する流路での熱媒の温度が所定温度（例えば６０℃）を超える場合には熱動弁が開故障であると判定される。つまり、本来ならば、熱媒体が流れておらず、低温であるはずの流路での熱媒体の温度に基づいて、熱動弁の故障を見つけようとしている。
【先行技術文献】
【特許文献】
【０００４】
【特許文献１】特開２００１−２４８８４７号公報
【発明の概要】
【発明が解決しようとする課題】
【０００５】
特許文献１に記載の熱供給システムでは、複数の熱消費端末のうちの一つの熱消費端末へ熱媒体を供給する流路を開閉する熱動弁の故障を検出するためには、他の熱消費端末が運転中であり、熱媒体循環路を高温の熱媒体が循環中であることが必要になる。例えば、熱動弁に開故障が発生しても、全ての熱消費端末の運転が停止されていれば、熱媒体の循環も停止されているため、開故障中の熱動弁を熱媒体が流れることもない。その結果、熱消費端末に熱媒体を供給する流路での熱媒の温度が所定温度（例えば６０℃）を超えることもない。このように、特許文献１に記載の熱供給システムは、熱動弁の開故障を適切に検出できない場合がある。
【０００６】
本発明は、上記の課題に鑑みてなされたものであり、その目的は、熱動弁の開故障を適切に検出できる熱供給システムの検査方法を提供する点にある。
【課題を解決するための手段】
【０００７】
上記目的を達成するための本発明に係る熱供給システムの検査方法の特徴構成は、熱媒体を加熱する熱源機と、熱媒体が流れる熱媒体循環路とを備え、熱を消費する熱消費端末に対して、前記熱媒体循環路を介して熱媒体を供給できるように構成されている熱供給システムの検査方法であって、
前記熱媒体循環路は、前記熱消費端末を経由させずに熱媒体を循環させることができる共通流路部分と、当該共通流路部分から複数の前記熱消費端末に向けて分岐し、途中に熱動弁がそれぞれ設けられる複数の個別流路部分とを有し、
前記熱媒体循環路で熱媒体を流すための熱媒体ポンプを備え、
複数の前記熱動弁のうちの検査対象とする熱動弁を閉じる指令を与え且つ前記熱媒体ポンプを所定の回転速度で動作させた第１動作状態で前記熱媒体循環路に熱媒体を循環させながら、前記熱供給システムでの所定の動作状態を表す第１の動作状態値を測定する第１測定工程と、
前記検査対象とする熱動弁を開く指令を与える以外は前記第１動作状態と同じ第２動作状態で前記熱媒体循環路に熱媒体を循環させながら、前記熱供給システムでの前記所定の動作状態を表す第２の動作状態値を測定する第２測定工程と、
前記第１の動作状態値と前記第２の動作状態値との差が所定範囲内であれば前記検査対象とする熱動弁が正常に閉じない異常状態の熱動弁を含んでいると判定し、前記第１の動作状態値と前記第２の動作状態値との差が前記所定範囲よりも大きければ前記検査対象とする熱動弁が前記異常状態の熱動弁を含んでいないと判定する判定工程とを有する点にある。
【０００８】
特定の熱動弁が開閉されると、それまで熱媒体が流れていなかった経路に熱媒体が流れることや、それまで熱媒体が流れていた経路に熱媒体が流れなくなることなどが発生する。そのため、特定の熱動弁が開閉されると、熱媒体循環路の全体で見ると、熱媒体が流れている部分の容積（即ち、流れる熱媒体の総量）が変化する。このとき、熱媒体循環路で熱媒体を流すための熱媒体ポンプの回転速度が一定のまま、即ち、熱媒体ポンプが単位時間当たりに吐出する熱媒体量が一定のままの場合、流れる熱媒体の総量が変化すると、熱媒体ポンプの負荷は変化する。また、熱媒体ポンプが単位時間当たりに吐出する熱媒体量が一定のままの場合、複数の熱消費端末に向けて分岐した複数の個別流路部分の夫々に設けられた熱動弁が開閉されると、各個別流路部分への熱媒体の分配状態も変化するため、熱媒体循環路の途中で測定される単位時間当たりの熱媒体の流量が変化する。このように、特定の熱動弁が開閉されると、熱供給システムでの所定の動作状態を表す動作状態値（例えば、熱媒体ポンプの負荷や、熱媒体循環路の途中で測定される単位時間当たりの熱媒体の流量など）が変化する。
【０００９】
そこで本特徴構成では、判定工程において、検査対象とする熱動弁を閉じる指令を与えた場合に測定された第１の動作状態値と、検査対象とする熱動弁を開く指令を与えた場合に測定された第２の動作状態値とを対比して、その検査対象とする熱動弁が、正常に閉じない異常状態の熱動弁を含んでいるか否かを判定する。つまり、検査対象とする熱動弁が異常状態の熱動弁を含んでいる場合、検査対象とする熱動弁を閉じる指令を与えても、実際には熱動弁が開いた状態のままになっているため、その場合に測定される第１の動作状態値は、検査対象とする熱動弁を開く指令を与えた場合に測定される第２の動作状態値と近い値になると考えられる。そのため、第１の動作状態値と第２の動作状態値との差が所定範囲内であれば、検査対象とする熱動弁が正常に閉じない異常状態の熱動弁を含んでいると判定でき、第１の動作状態値と第２の動作状態値との差が所定範囲よりも大きければ検査対象とする熱動弁が異常状態の熱動弁を含んでいないと判定できる。このように、本特徴構成では、従来のように、他の熱消費端末が運転中でなくても、検査対象とする熱動弁が異常状態であるか否かを判定できる。
従って、熱動弁の開故障を適切に検出できる熱供給システムの検査方法を提供できる。
【００１０】
本発明に係る熱供給システムの検査方法の別の特徴構成は、前記動作状態値は、前記熱媒体ポンプの消費電流値である点にある。
【００１１】
熱媒体循環路で熱媒体を流すための熱媒体ポンプの回転速度が一定のまま、即ち、熱媒体ポンプが単位時間当たりに吐出する熱媒体量が一定のままの場合、熱媒体が流れている部分の容積（即ち、流れる熱媒体の総量）が変化すると、熱媒体ポンプの負荷が変化して、熱媒体ポンプの消費電流値が変化する。
従って、本特徴構成のように、熱媒体ポンプの消費電流値を、熱供給システムでの所定の動作状態を表す動作状態値とすることで、検査対象とする熱動弁が異常状態であるか否かを確実に判定できる。
【００１２】
本発明に係る熱供給システムの検査方法の更に別の特徴構成は、前記動作状態値は、前記熱媒体循環路の途中で測定される単位時間当たりの熱媒体の流量である点にある。
【００１３】
熱媒体循環路で熱媒体を流すための熱媒体ポンプの回転速度が一定のまま、即ち、熱媒体ポンプが単位時間当たりに吐出する熱媒体量が一定のままの場合、複数の熱消費端末に向けて分岐した複数の個別流路部分の夫々に設けられた熱動弁が開閉されると、各個別流路部分への熱媒体の分配状態も変化するため、熱媒体循環路の途中で測定される単位時間当たりの熱媒体の流量が変化する。
従って、本特徴構成のように、熱媒体循環路の途中で測定される単位時間当たりの熱媒体の流量を、熱供給システムでの所定の動作状態を表す動作状態値とすることで、検査対象とする熱動弁が異常状態であるか否かを確実に判定できる。
【図面の簡単な説明】
【００１４】
【図１】第１実施形態の熱供給システムの構成を示す図である。
【図２】第１実施形態の熱供給システムでの熱媒体の循環状態を例示する図である。
【図３】第１実施形態の熱供給システムでの熱媒体の循環状態を例示する図である。
【図４】第１実施形態の熱供給システムでの熱媒体の循環状態を例示する図である。
【図５】第３実施形態の熱供給システムでの熱媒体の循環状態を例示する図である。
【図６】第３実施形態の熱供給システムでの熱媒体の循環状態を例示する図である。
【図７】第３実施形態の熱供給システムでの熱媒体の循環状態を例示する図である。
【図８】第３実施形態の熱供給システムでの熱媒体の循環状態を例示する図である。
【発明を実施するための形態】
【００１５】
＜第１実施形態＞
以下に図面を参照して本発明の第１実施形態に係る熱供給システムの検査方法について説明する。
図１は、熱供給システムの構成を示す図である。図示するように、熱供給システムは、熱媒体を加熱する熱源機１と、熱媒体が流れる熱媒体循環路１０とを備え、熱を消費する熱消費端末Ｈに対して、熱媒体循環路１０を介して熱媒体を供給できるように構成されている。本実施形態の熱供給システムには、熱消費端末Ｈとして、高温熱消費端末Ｈ１と低温熱消費端末Ｈ２とが設けられ、熱動弁Ｖとして、高温側熱動弁Ｖ１と低温側熱動弁Ｖ２とがそれぞれの熱消費端末Ｈ１，Ｈ２に対応して設けられる。そして、熱媒体循環路１０は、熱消費端末Ｈを経由させずに熱媒体を循環させることができる共通流路部分１１と、共通流路部分１１から複数の熱消費端末Ｈに向けて分岐し、途中に熱動弁Ｖがそれぞれ設けられる複数の個別流路部分１５とを有している。
【００１６】
熱供給システムは、熱消費端末Ｈでの各種設定、運転開始指令、運転停止指令、運転予約などの情報の入力を利用者から受け付け、熱消費端末Ｈの運転状態などの情報を利用者に出力する情報入出力装置Ｄを備える。情報入出力装置Ｄは、例えば、台所の壁面などに設けられたリモコン装置等を用いて実現できる。
また、熱供給システムは、熱供給システムで取り扱われる情報を記憶する記憶装置Ｍを備える。
【００１７】
熱源機１は、燃焼室２の内部に燃焼器３を備える。燃焼器３には、燃料ガスがガス供給路４を通って供給され、空気がブロア５によって供給される。燃焼器３への燃料ガス及び空気の供給量は制御装置Ｃが制御する。燃焼室２では、燃焼器３で発生した燃焼熱が、熱媒体循環路１０を流れる熱媒体に伝達される。
【００１８】
熱媒体循環路１０での熱媒体の流動は、制御装置Ｃによって動作が制御される熱媒体ポンプ７によって行われる。
共通流路部分１１は、熱媒体循環路１０のうち、熱媒体ポンプ７で付勢された熱媒体が、分岐部８と熱源機１と分岐部９と合流部１７と暖房タンク６とを順に通って再び熱媒体ポンプ７に帰還する経路である。暖房タンク６は熱媒体循環路１０を循環する熱媒体が一時的に貯えられる部分であり、例えば、温度変化に伴う熱媒体の体積変化を吸収するために設置されている。図示は省略するが、暖房タンク６には熱媒体を補充するための補充流路が接続されており、この熱供給システムの稼働開始時や熱媒体の減少時などのタイミングで、熱媒体の供給や補充が行われる。
【００１９】
個別流路部分１５は、共通流路部分１１から高温熱消費端末Ｈ１に向けて分岐する高温側個別流路部分１２と、共通流路部分１１から低温熱消費端末Ｈ２に向けて分岐する低温側個別流路部分１３とを有する。また、高温熱消費端末Ｈ１及び低温熱消費端末Ｈ２で熱が消費された後の熱媒体は、帰還流路部分１４を通って共通流路部分１１の合流部１７へと帰還する。
【００２０】
高温側個別流路部分１２は、熱媒体ポンプ７から見て、熱源機１よりも下流側の共通流路部分１１の分岐部９から分岐して高温熱消費端末Ｈ１に至る。高温側個別流路部分１２には高温側熱動弁Ｖ１が設けられる。このような構成を採用することで、高温側熱動弁Ｖ１が開いている場合には、熱媒体が共通流路部分１１から高温側個別流路部分１２へと分岐して流れ、高温熱消費端末Ｈ１で熱が消費された後の熱媒体が、帰還流路部分１４を通って共通流路部分１１の合流部１７へと帰還する。尚、高温側熱動弁Ｖ１が閉じている場合には、高温側個別流路部分１２に熱媒体は流れない。本実施形態では、高温側熱動弁Ｖ１の開閉動作は制御装置Ｃが制御する。
【００２１】
低温側個別流路部分１３は、熱媒体ポンプ７から見て、熱源機１よりも上流側の共通流路部分１１の分岐部８から分岐して低温熱消費端末Ｈ２に至る。低温側個別流路部分１３には低温側熱動弁Ｖ２が設けられる。このような構成を採用することで、低温側熱動弁Ｖ２が開いている場合には、熱媒体が共通流路部分１１から低温側個別流路部分１３へと分岐して流れ、低温熱消費端末Ｈ２で熱が消費された後の熱媒体が、合流部１６及び帰還流路部分１４を通って共通流路部分１１の合流部１７へと帰還する。尚、低温側熱動弁Ｖ２が閉じている場合には、低温側個別流路部分１３に熱媒体は流れない。本実施形態では、低温側熱動弁Ｖ２の開閉動作は制御装置Ｃが制御する。
【００２２】
熱媒体循環路１０の途中には、単位時間当たりの熱媒体の流量を測定する流量センサ１８及び流量センサ１９が設けられている。流量センサ１８及び流量センサ１９の測定結果は制御装置Ｃに伝達され、必要に応じて記憶装置Ｍに記憶される。
【００２３】
流量センサ１８及び流量センサ１９は、検査対象とする熱動弁Ｖの開閉に伴って熱媒体の単位時間当たりの流量が変化する部位に設けておけばよい。
例えば、流量センサ１８は、低温側熱動弁Ｖ２を検査対象とする場合、その低温側熱動弁Ｖ２が設けられている個別流路部分１５（低温側個別流路部分１３）が共通流路部分１１から分岐する分岐部８よりも下流側、且つ、合流部１７よりも上流側に設けられている。そのため、低温側熱動弁Ｖ２が開くことで低温側個別流路部分１３を流れる熱媒体の量が増加すると、共通流路部分１１の途中の流量センサ１８が設けられている部位を流れる熱媒体の量は減少する。
同様に、流量センサ１９は、高温側熱動弁Ｖ１を検査対象とする場合、その高温側熱動弁Ｖ１が設けられている個別流路部分１５（高温側個別流路部分１２）が共通流路部分１１から分岐する分岐部９よりも下流側、且つ、合流部１７よりも上流側に設けられている。そのため、高温側熱動弁Ｖ１が開くことで高温側個別流路部分１２を流れる熱媒体の量が増加すると、共通流路部分１１の途中の流量センサ１９が設けられている部位を流れる熱媒体の量は減少する。
【００２４】
次に、図２〜図４を参照して熱媒体の循環状態を説明する。図２〜図４では、熱媒体が流動する部分を太線で描いている。
【００２５】
図２は、高温側熱動弁Ｖ１が閉じており且つ低温側熱動弁Ｖ２が閉じている場合での熱媒体の循環状態を示す図である。この場合、高温側熱動弁Ｖ１が閉じているため、高温側個別流路部分１２及び高温熱消費端末Ｈ１には熱媒体は流れない。同様に、低温側熱動弁Ｖ２が閉じているため、低温側個別流路部分１３及び低温熱消費端末Ｈ２には熱媒体は流れない。
【００２６】
図３は、高温側熱動弁Ｖ１が開いており且つ低温側熱動弁Ｖ２が閉じている場合での熱媒体の循環状態を示す図である。この場合、低温側熱動弁Ｖ２が閉じているため、低温側個別流路部分１３及び低温熱消費端末Ｈ２には熱媒体は流れない。それに対して、高温側熱動弁Ｖ１が開いているため、高温側個別流路部分１２及び高温熱消費端末Ｈ１には熱媒体が流れる。その結果、熱媒体は、共通流路部分１１を循環するのに加えて、共通流路部分１１の分岐部９から分岐して高温側個別流路部分１２を流れ、高温熱消費端末Ｈ１及び帰還流路部分１４を経由して、共通流路部分１１の合流部１７へと流れる。
【００２７】
図３に示す熱媒体の循環状態は、高温熱消費端末Ｈ１が使用されている場合での循環状態である。この場合、制御装置Ｃは、熱源機１で加熱された後の熱媒体の温度（温度センサＴ２で測定される温度）が例えば８０℃になるように熱源機１を動作させる。その結果、高温熱消費端末Ｈ１には８０℃の熱媒体が供給されて、その熱が消費される。
【００２８】
図４は、高温側熱動弁Ｖ１が閉じており且つ低温側熱動弁Ｖ２が開いている場合での熱媒体の循環状態を示す図である。この場合、高温側熱動弁Ｖ１が閉じているため、高温側個別流路部分１２及び高温熱消費端末Ｈ１には熱媒体は流れない。それに対して、低温側熱動弁Ｖ２が開いているため、低温側個別流路部分１３及び低温熱消費端末Ｈ２には熱媒体が流れる。その結果、熱媒体は、共通流路部分１１を循環するのに加えて、共通流路部分１１の分岐部８から分岐して低温側個別流路部分１３を流れ、低温熱消費端末Ｈ２及び帰還流路部分１４を経由して、共通流路部分１１の合流部１７へと流れる。
【００２９】
図４に示す熱媒体の循環状態は、低温熱消費端末Ｈ２が使用されている場合での循環状態である。この場合、低温側個別流路部分１３は熱源機１よりも上流側で共通流路部分１１から分岐しているため、低温熱消費端末Ｈ２には熱源機１で加熱された熱媒体が直接供給されることはなく、熱源機１で加熱された熱媒体と低温熱消費端末Ｈ２から帰還した熱媒体とが合流部１７で合流され、その合流後の熱媒体が低温熱消費端末Ｈ２に供給される。よって、制御装置Ｃは、温度センサＴ１で温度が測定される、合流部１７で合流された後の熱媒体（即ち、低温熱消費端末Ｈ２に供給される熱媒体）の温度が例えば６０℃になるように熱源機１を動作させる。その結果、低温熱消費端末Ｈ２には６０℃の熱媒体が供給されて、その熱が消費される。
【００３０】
尚、図示は省略するが、高温熱消費端末Ｈ１及び低温熱消費端末Ｈ２の両方が使用されている場合には、高温側熱動弁Ｖ１及び低温側熱動弁Ｖ２の両方が開いており、高温側個別流路部分１２及び高温熱消費端末Ｈ１には熱媒体が流れ、低温側個別流路部分１３及び低温熱消費端末Ｈ２にも熱媒体が流れる。そして、高温熱消費端末Ｈ１及び低温熱消費端末Ｈ２から熱媒体が合流部１７へと帰還する。
【００３１】
以上のような構成の熱供給システムでは、特定の熱動弁Ｖが新たに開閉されると、それまで熱媒体が流れていなかった経路に熱媒体が流れることや、それまで熱媒体が流れていた経路に熱媒体が流れなくなることなどが発生する。そのため、特定の熱動弁Ｖが開閉されると、熱媒体循環路１０の全体で見ると、熱媒体が流れている部分の容積（即ち、流れる熱媒体の総量）が変化する。このとき、熱媒体循環路１０で熱媒体を流すための熱媒体ポンプ７の回転速度が一定のまま、即ち、熱媒体ポンプ７が単位時間当たりに吐出する熱媒体量が一定のままの場合、流れる熱媒体の総量が変化すると、熱媒体ポンプ７の負荷は変化する。このように、特定の熱動弁Ｖが開閉されると、熱供給システムでの所定の動作状態を表す動作状態値が変化する。
【００３２】
次に、熱動弁Ｖが正常であるか否かを検証するための本実施形態の熱供給システムの検査方法について説明する。本実施形態では、熱媒体循環路１０に熱媒体を循環させながら、熱供給システムでの所定の動作状態を表す動作状態値を測定し、その動作状態値に基づいて、異常状態の熱動弁Ｖが含まれているか否かを判定する。
【００３３】
本実施形態では、上記動作状態値は、熱媒体ポンプ７の消費電流値である。熱媒体循環路１０で熱媒体を流すための熱媒体ポンプ７の回転速度が一定のまま、即ち、熱媒体ポンプ７が単位時間当たりに吐出する熱媒体量が一定のままの場合、熱動弁Ｖが開閉して熱媒体が流れている部分の容積（即ち、流れる熱媒体の総量）が変化すると、熱媒体ポンプ７の負荷が変化して、熱媒体ポンプ７の消費電流値が変化する。例えば、熱媒体ポンプ７が所定の回転速度で動作する場合、熱媒体循環路１０で流動する熱媒体の量が多くなれば（即ち、負荷が大きくなれば）熱媒体ポンプ７の消費電流値は大きくなり、熱媒体循環路１０で流動する熱媒体の量が少なくなれば（即ち、負荷が小さくなれば）熱媒体ポンプ７の消費電流値は小さくなる。
【００３４】
〔高温側熱動弁Ｖ１を検査対象とした場合〕
以下に示す例は、高温熱消費端末Ｈ１に熱媒体を流すか否かを切り替えるための高温側熱動弁Ｖ１が正常に閉じるか否かを検証するための方法である。つまり、高温側熱動弁Ｖ１が検査対象とする熱動弁Ｖである。尚、以下に説明する第１測定工程及び第２測定工程及び判定工程は、熱供給システムを運転開始してから一定時間（例えば、３６０時間や７２０時間など）経過した後などの適当なタイミングで行えばよい。例えば、第１測定工程及び第２測定工程及び判定工程の機能を実行するためのプログラムを記憶装置Ｍに記憶しておき、制御装置Ｃがそのプログラムを読み出して実行することで行われる。
【００３５】
・第１測定工程
制御装置Ｃは、複数の熱動弁Ｖのうちの検査対象とする熱動弁Ｖを閉じる指令を与え且つ熱媒体ポンプ７を所定の回転速度で動作させた第１動作状態で熱媒体循環路１０に熱媒体を循環させながら、熱供給システムでの所定の動作状態を表す第１の動作状態値を測定する（第１測定工程）。例えば、図２に示すように、制御装置Ｃは、高温側熱動弁Ｖ１及び低温側熱動弁Ｖ２の両方を閉じる指令を与え且つ熱媒体ポンプ７を所定の回転速度で動作させた第１動作状態で熱媒体循環路１０に熱媒体を循環させながら、熱媒体ポンプ７の消費電流値を測定する（第１測定工程）。この場合、熱源機１を動作させなくてもよい。
【００３６】
つまり、第１測定工程で測定する第１の動作状態値（熱媒体ポンプ７の消費電流値）は、高温側熱動弁Ｖ１及び低温側熱動弁Ｖ２の両方を閉じる指令を与え且つ熱媒体ポンプ７を所定の回転速度で動作させた第１動作状態で熱媒体循環路１０に熱媒体を循環させている場合での、熱媒体が流れている部分の容積（即ち、流れる熱媒体の総量）に関連する。よって、高温側熱動弁Ｖ１及び低温側熱動弁Ｖ２の両方が正常に閉じていれば、第１測定工程で測定する熱媒体ポンプ７の消費電流値は、図２において太線で示す共通流路部分１１の容積に関連した値になるはずである。
【００３７】
・第２測定工程
制御装置Ｃは、上述した検査対象とする熱動弁Ｖを開く指令を与える以外は第１動作状態と同じ第２動作状態で熱媒体循環路１０に熱媒体を循環させながら、熱供給システムでの所定の動作状態を表す第２の動作状態値を測定する（第２測定工程）。例えば、図３に示すように、制御装置Ｃは、高温側熱動弁Ｖ１を開く指令を与える以外は第１動作状態と同じ第２動作状態（高温側熱動弁Ｖ１を開く指令を与え、低温側熱動弁Ｖ２を閉じる指令を与え、且つ熱媒体ポンプ７を上記第１動作状態と同じ回転速度で動作させた状態）で、熱媒体循環路１０に熱媒体を循環させながら、熱媒体ポンプ７の消費電流値を測定する（第２測定工程）。この場合、熱源機１を動作させなくてもよい。
【００３８】
つまり、第２測定工程で測定する第２の動作状態値（熱媒体ポンプ７の消費電流値）は、高温側熱動弁Ｖ１を開く指令を与え、低温側熱動弁Ｖ２を閉じる指令を与え、且つ、熱媒体ポンプ７を上記第１動作状態と同じ回転速度で動作させた状態で熱媒体循環路１０に熱媒体を循環させている場合での、熱媒体が流れている部分の容積（即ち、流れる熱媒体の総量）に関連する。よって、高温側熱動弁Ｖ１が正常に開き且つ低温側熱動弁Ｖ２が正常に閉じていれば、第２測定工程で測定する熱媒体ポンプ７の消費電流値は、図３において太線で示す共通流路部分１１及び高温側個別流路部分１２及び帰還流路部分１４の容積に関連した値になるはずである。
【００３９】
尚、この例では、検査対象としない低温側熱動弁Ｖ２を、第１測定工程及び第２測定工程の間、常に閉じているが、検査対象としない低温側熱動弁Ｖ２を、第１測定工程及び第２測定工程の間、常に開いていてもよい。つまり、検査対象としない低温側熱動弁Ｖ２の開閉状態を、第１測定工程及び第２測定工程の間、変化させなければよい。
【００４０】
・判定工程
制御装置Ｃは、第１の動作状態値と第２の動作状態値との差が所定範囲内であれば、検査対象とする熱動弁Ｖが正常に閉じない異常状態の熱動弁Ｖを含んでいると判定し、第１の動作状態値と第２の動作状態値との差が所定範囲よりも大きければ検査対象とする熱動弁Ｖが異常状態の熱動弁Ｖを含んでいないと判定する（判定工程）。
【００４１】
以上のような第１測定工程及び第２測定工程を行った場合、高温側熱動弁Ｖ１が正常に開閉していれば、第１測定工程（図２）を行った場合に熱媒体が流れている部分の容積（即ち、流れる熱媒体の総量）は、第２測定工程（図３）を行った場合に熱媒体が流れている部分の容積よりも小さいため、第１測定工程（図２）を行った場合の熱媒体ポンプ７の負荷は、第２測定工程（図３）を行った場合の熱媒体ポンプ７の負荷よりも小さくなるはずである。そのため、制御装置Ｃは、第１測定工程で測定した熱媒体ポンプ７の消費電流値（第１の動作状態値）と、第２測定工程で測定した熱媒体ポンプ７の消費電流値（第２の動作状態値）との差が所定範囲よりも大きければ高温側熱動弁Ｖ１が異常状態ではないと判定する。
【００４２】
それに対して、高温側熱動弁Ｖ１に開故障が発生していれば、即ち、高温側熱動弁Ｖ１に閉じ指令を与えていた第１測定工程（図２）の場合にも、実際には高温側熱動弁Ｖ１を経由して熱媒体が流れていれば、第１測定工程（図２）を行った場合の熱媒体ポンプ７の負荷は、第２測定工程（図３）を行った場合の熱媒体ポンプ７の負荷と近い値になるはずである。そのため、制御装置Ｃは、第１測定工程で測定した熱媒体ポンプ７の消費電流値（第１の動作状態値）と、第２測定工程で測定した熱媒体ポンプ７の消費電流値（第２の動作状態値）との差が所定範囲内であれば高温側熱動弁Ｖ１が異常状態であると判定する。
【００４３】
〔低温側熱動弁Ｖ２を検査対象とした場合〕
以下に示す例は、低温熱消費端末Ｈ２に熱媒体を流すか否かを切り替えるための低温側熱動弁Ｖ２が正常に閉じるか否かを検証するための方法である。つまり、低温側熱動弁Ｖ２が、検査対象とする熱動弁Ｖである。
【００４４】
・第１測定工程
図２に示すように、制御装置Ｃは、高温側熱動弁Ｖ１及び低温側熱動弁Ｖ２の両方を閉じる指令を与え且つ熱媒体ポンプ７を所定の回転速度で動作させた第１動作状態で熱媒体循環路１０に熱媒体を循環させながら、熱媒体ポンプ７の消費電流値を測定する（第１測定工程）。第１測定工程で測定する第１の動作状態値（熱媒体ポンプ７の消費電流値）は、高温側熱動弁Ｖ１及び低温側熱動弁Ｖ２の両方を閉じる指令を与え且つ熱媒体ポンプ７を所定の回転速度で動作させた第１動作状態で熱媒体循環路１０に熱媒体を循環させている場合での、熱媒体循環路１０で流動する熱媒体の量に関連する。よって、高温側熱動弁Ｖ１及び低温側熱動弁Ｖ２の両方が正常に閉じていれば、第１測定工程で測定する熱媒体ポンプ７の消費電流値は、図２において太線で示す共通流路部分１１のみを流動する熱媒体の量に関連した値になるはずである。
【００４５】
・第２測定工程
図４に示すように、制御装置Ｃは、低温側熱動弁Ｖ２を開く指令を与える以外は第１動作状態と同じ第２動作状態（高温側熱動弁Ｖ１を閉じる指令を与え、低温側熱動弁Ｖ２を開く指令を与え、且つ熱媒体ポンプ７を上記第１動作状態と同じ回転速度で動作させた状態）で、熱媒体循環路１０に熱媒体を循環させながら、熱媒体ポンプ７の消費電流値を測定する（第２測定工程）。第２測定工程で測定する第２の動作状態値（熱媒体ポンプ７の消費電流値）は、高温側熱動弁Ｖ１を閉じる指令を与え、低温側熱動弁Ｖ２を開く指令を与え、且つ、熱媒体ポンプ７を上記第１動作状態と同じ回転速度で動作させた状態で熱媒体循環路１０に熱媒体を循環させている場合での、熱媒体循環路１０で流動する熱媒体の量に関連する。よって、高温側熱動弁Ｖ１が正常に閉じ且つ低温側熱動弁Ｖ２が正常に開いていれば、第２測定工程で測定する熱媒体ポンプ７の消費電流値は、図４において太線で示す共通流路部分１１及び低温側個別流路部分１３及び帰還流路部分１４を流動する熱媒体の量に関連した値になるはずである。
【００４６】
尚、この例では、検査対象としない高温側熱動弁Ｖ１を、第１測定工程及び第２測定工程の間、常に閉じているが、検査対象としない高温側熱動弁Ｖ１を、第１測定工程及び第２測定工程の間、常に開いていてもよい。つまり、検査対象としない高温側熱動弁Ｖ１の開閉状態を、第１測定工程及び第２測定工程の間、変化させなければよい。
【００４７】
・判定工程
以上のような第１測定工程及び第２測定工程を行った場合、低温側熱動弁Ｖ２が正常に開閉していれば、第１測定工程（図２）を行った場合に熱媒体が流れている部分の容積（即ち、流れる熱媒体の総量）は、第２測定工程（図４）を行った場合に熱媒体が流れている部分の容積よりも小さいため、第１測定工程（図２）を行った場合の熱媒体ポンプ７の負荷は、第２測定工程（図４）を行った場合の熱媒体ポンプ７の負荷よりも小さくなるはずである。つまり、制御装置Ｃは、上記第１の動作状態値と上記第２の動作状態値との差が所定範囲よりも大きければ低温側熱動弁Ｖ２が異常状態ではないと判定する。
【００４８】
それに対して、低温側熱動弁Ｖ２に開故障が発生していれば、即ち、低温側熱動弁Ｖ２に閉じ指令を与えていた第１測定工程（図２）の場合にも、実際には低温側熱動弁Ｖ２を経由して熱媒体が流れていれば、第１測定工程（図２）を行った場合の熱媒体ポンプ７の負荷は、第２測定工程（図４）を行った場合の熱媒体ポンプ７の負荷と近い値になるはずである。つまり、制御装置Ｃは、上記第１の動作状態値と上記第２の動作状態値との差が所定範囲内であれば低温側熱動弁Ｖ２が異常状態であると判定する。
【００４９】
制御装置Ｃは、上記判定工程によって熱動弁Ｖが正常に閉じていないと判定した場合、その旨を報知する（報知工程）。例えば、制御装置Ｃは、情報入出力装置Ｄの表示部（図示せず）に、熱動弁Ｖの開故障を示すエラーコードなどを表示させる。その結果、情報入出力装置Ｄで報知された情報を見た利用者は、熱供給システムの販売者等に修理などを依頼できる。或いは、制御装置Ｃが、インターネットなどの情報通信網と接続されている場合には、熱供給システムの販売者等に熱動弁Ｖの開故障を示す情報を情報通信網を介して報知してもよい。
【００５０】
＜第２実施形態＞
第２実施形態の熱供給システムの検査方法は、熱媒体循環路１０の途中で測定される単位時間当たりの熱媒体の流量を上記動作状態値として用いる点で上記実施形態と異なる。以下に第２実施形態の熱供給システムの検査方法について説明するが、上記実施形態と同様の構成については説明を省略する。
【００５１】
本実施形態でも、熱媒体循環路１０に熱媒体を循環させながら、熱供給システムでの所定の動作状態を表す動作状態値を測定し、その動作状態値に基づいて、異常状態の熱動弁Ｖが含まれているか否かを判定する。本実施形態では、動作状態値は、熱媒体循環路１０の途中で測定される単位時間当たりの熱媒体の流量である。
【００５２】
〔高温側熱動弁Ｖ１を検査対象とした場合〕
以下に示す例は、高温熱消費端末Ｈ１に熱媒体を流すか否かを切り替えるための高温側熱動弁Ｖ１が正常に閉じるか否かを検証するための方法である。つまり、高温側熱動弁Ｖ１が、検査対象とする熱動弁Ｖである。
【００５３】
・第１測定工程
制御装置Ｃは、複数の熱動弁Ｖのうちの検査対象とする熱動弁Ｖを閉じる指令を与え且つ熱媒体ポンプ７を所定の回転速度で動作させた第１動作状態で熱媒体循環路１０に熱媒体を循環させながら、熱供給システムでの所定の動作状態を表す第１の動作状態値を測定する（第１測定工程）。例えば、図２に示すように、制御装置Ｃは、高温側熱動弁Ｖ１及び低温側熱動弁Ｖ２の両方を閉じる指令を与え且つ熱媒体ポンプ７を所定の回転速度で動作させた第１動作状態で熱媒体循環路１０に熱媒体を循環させながら、流量センサ１９を用いて熱媒体の単位時間当たりの流量を測定する（第１測定工程）。この場合、熱源機１を動作させなくてもよい。
【００５４】
つまり、第１測定工程で測定する第１の動作状態値（熱媒体の単位時間当たりの流量）は、高温側熱動弁Ｖ１及び低温側熱動弁Ｖ２の両方を閉じる指令を与え且つ熱媒体ポンプ７を所定の回転速度で動作させた第１動作状態で熱媒体循環路１０に熱媒体を循環させている場合での、熱媒体循環路１０で単位時間当たりに流動する熱媒体の量に対応する。よって、高温側熱動弁Ｖ１及び低温側熱動弁Ｖ２の両方が正常に閉じていれば、第１測定工程において流量センサ１９で測定する熱媒体の単位時間当たりの流量は、図２において太線で示す共通流路部分１１のみを流動する熱媒体の量に対応した値になるはずである。
【００５５】
・第２測定工程
制御装置Ｃは、上述した検査対象とする熱動弁Ｖを開く指令を与える以外は第１動作状態と同じ第２動作状態で熱媒体循環路１０に熱媒体を循環させながら、熱供給システムでの所定の動作状態を表す第２の動作状態値を測定する（第２測定工程）。例えば、図３に示すように、制御装置Ｃは、高温側熱動弁Ｖ１を開く指令を与える以外は第１動作状態と同じ第２動作状態（高温側熱動弁Ｖ１を開く指令を与え、低温側熱動弁Ｖ２を閉じる指令を与え、且つ熱媒体ポンプ７を上記第１動作状態と同じ回転速度で動作させた状態）で、熱媒体循環路１０に熱媒体を循環させながら、流量センサ１９を用いて熱媒体の単位時間当たりの流量を測定する（第２測定工程）。この場合、熱源機１を動作させなくてもよい。
【００５６】
つまり、第２測定工程で測定する第２の動作状態値（熱媒体の単位時間当たりの流量）は、高温側熱動弁Ｖ１を開く指令を与え、低温側熱動弁Ｖ２を閉じる指令を与え、且つ、熱媒体ポンプ７を上記第１動作状態と同じ回転速度で動作させた状態で熱媒体循環路１０に熱媒体を循環させている場合での、熱媒体循環路１０で熱媒体の単位時間当たりの流量に対応する。よって、高温側熱動弁Ｖ１が正常に開き且つ低温側熱動弁Ｖ２が正常に閉じていれば、第２測定工程において流量センサ１９で測定する熱媒体の単位時間当たりの流量は、図３において太線で示す分岐部９と合流部１７との間を単位時間当たりに流動する熱媒体の量に対応した値になるはずである。
【００５７】
・判定工程
制御装置Ｃは、第１の動作状態値と第２の動作状態値との差が所定範囲内であれば、検査対象とする熱動弁Ｖが正常に閉じない異常状態の熱動弁Ｖを含んでいると判定し、第１の動作状態値と第２の動作状態値との差が所定範囲よりも大きければ検査対象とする熱動弁Ｖが異常状態の熱動弁Ｖを含んでいないと判定する（判定工程）。
【００５８】
以上のような第１測定工程及び第２測定工程を行った場合、熱媒体ポンプ７が単位時間当たりに流す熱媒体の流量は一定であるのだから、高温側熱動弁Ｖ１が正常に開閉していれば、第１測定工程（図２）を行った場合に流量センサ１９で測定される熱媒体の流量は、第２測定工程（図３）を行った場合に流量センサ１９で測定される熱媒体よりも多くなるはずである。つまり、制御装置Ｃは、上記第１の動作状態値と上記第２の動作状態値との差が所定範囲よりも大きければ高温側熱動弁Ｖ１が異常状態ではないと判定する。
【００５９】
それに対して、高温側熱動弁Ｖ１に開故障が発生していれば、即ち、高温側熱動弁Ｖ１に閉じ指令を与えていた第１測定工程（図２）の場合にも、実際には高温側熱動弁Ｖ１を経由して熱媒体が流れていれば、第１測定工程（図２）を行った場合に流量センサ１９で測定される熱媒体の流量は、第２測定工程（図３）を行った場合に流量センサ１９で測定される熱媒体の流量と近い値になるはずである。つまり、制御装置Ｃは、上記第１の動作状態値と上記第２の動作状態値との差が所定範囲内であれば高温側熱動弁Ｖ１が異常状態であると判定する。
【００６０】
〔低温側熱動弁Ｖ２を検査対象とした場合〕
以下に示す例は、高温熱消費端末Ｈ１に熱媒体を流すか否かを切り替えるための低温側熱動弁Ｖ２が正常に閉じるか否かを検証するための方法である。つまり、低温側熱動弁Ｖ２が検査対象とする熱動弁Ｖである。
【００６１】
・第１測定工程
図２に示すように、制御装置Ｃは、高温側熱動弁Ｖ１及び低温側熱動弁Ｖ２の両方を閉じる指令を与え且つ熱媒体ポンプ７を所定の回転速度で動作させた第１動作状態で熱媒体循環路１０に熱媒体を循環させながら、流量センサ１８を用いて熱媒体の単位時間当たりの流量を測定する（第１測定工程）。つまり、第１測定工程で測定する第１の動作状態値（熱媒体の単位時間当たりの流量）は、高温側熱動弁Ｖ１及び低温側熱動弁Ｖ２の両方を閉じる指令を与え且つ熱媒体ポンプ７を所定の回転速度で動作させた第１動作状態で熱媒体循環路１０に熱媒体を循環させている場合での、熱媒体循環路１０で単位時間当たりに流動する熱媒体の量に対応する。よって、高温側熱動弁Ｖ１及び低温側熱動弁Ｖ２の両方が正常に閉じていれば、第１測定工程において流量センサ１８で測定する熱媒体の単位時間当たりの流量は、図２において太線で示す共通流路部分１１のみを流動する熱媒体の量に対応した値になるはずである。
【００６２】
・第２測定工程
図４に示すように、制御装置Ｃは、低温側熱動弁Ｖ２を開く指令を与える以外は第１動作状態と同じ第２動作状態（高温側熱動弁Ｖ１を閉じる指令を与え、低温側熱動弁Ｖ２を開く指令を与え、且つ熱媒体ポンプ７を上記第１動作状態と同じ回転速度で動作させた状態）で、熱媒体循環路１０に熱媒体を循環させながら、流量センサ１８を用いて熱媒体の単位時間当たりの流量を測定する（第２測定工程）。つまり、第２測定工程で測定する第２の動作状態値（熱媒体の単位時間当たりの流量）は、高温側熱動弁Ｖ１を閉じる指令を与え、低温側熱動弁Ｖ２を開く指令を与え、且つ、熱媒体ポンプ７を上記第１動作状態と同じ回転速度で動作させた状態で熱媒体循環路１０に熱媒体を循環させている場合での、熱媒体循環路１０で熱媒体の単位時間当たりの流量に対応する。よって、高温側熱動弁Ｖ１が正常に閉じ且つ低温側熱動弁Ｖ２が正常に開いていれば、第２測定工程において流量センサ１８で測定する熱媒体の単位時間当たりの流量は、図４において太線で示す分岐部８と合流部１７との間を単位時間当たりに流動する熱媒体の量に対応した値になるはずである。
【００６３】
・判定工程
以上のような第１測定工程及び第２測定工程を行った場合、熱媒体ポンプ７が単位時間当たりに流す熱媒体の流量は一定であるのだから、低温側熱動弁Ｖ２が正常に開閉していれば、第１測定工程（図２）を行った場合に流量センサ１８で測定される熱媒体の流量は、第２測定工程（図４）を行った場合に流量センサ１８で測定される熱媒体よりも多くなるはずである。つまり、制御装置Ｃは、上記第１の動作状態値と上記第２の動作状態値との差が所定範囲よりも大きければ低温側熱動弁Ｖ２が異常状態ではないと判定する。
【００６４】
それに対して、高温側熱動弁Ｖ１に開故障が発生していれば、即ち、高温側熱動弁Ｖ１に閉じ指令を与えていた第１測定工程（図２）の場合にも、実際には高温側熱動弁Ｖ１を経由して熱媒体が流れていれば、第１測定工程（図２）を行った場合に流量センサ１８で測定される熱媒体の流量は、第２測定工程（図４）を行った場合に流量センサ１８で測定される熱媒体の流量と近い値になるはずである。つまり、制御装置Ｃは、上記第１の動作状態値と上記第２の動作状態値との差が所定範囲内であれば低温側熱動弁Ｖ２が異常状態であると判定する。
【００６５】
＜第３実施形態＞
第３実施形態の熱供給システムの検査方法は、３つ以上の熱消費端末Ｈに対して熱媒体を供給するような熱供給システムにおいて、熱動弁Ｖが異常状態であるか否かを判定する点で上記実施形態と異なっている。以下に、第３実施形態の熱供給システムの検査方法について説明するが、上記実施形態と同様の構成については説明を省略する。
【００６６】
図５〜図８は、第３実施形態の熱供給システムでの熱媒体の循環状態を例示する図である。図示するように、本実施形態の熱供給システムは、高温熱消費端末Ｈ１及び第１低温熱消費端末Ｈ３及び第２低温熱消費端末Ｈ４という３つの熱消費端末Ｈに対して熱媒体を供給できる。
【００６７】
個別流路部分１５は、共通流路部分１１から高温熱消費端末Ｈ１に向けて分岐する高温側個別流路部分１２と、共通流路部分１１から第１低温熱消費端末Ｈ３に向けて分岐する第１低温側個別流路部分２２と、共通流路部分１１から第２低温熱消費端末Ｈ４に向けて分岐する第２低温側個別流路部分２３とを有する。また、高温熱消費端末Ｈ１及び第１低温熱消費端末Ｈ３及び第２低温熱消費端末Ｈ４で熱が消費された後の熱媒体は、帰還流路部分１４を通って共通流路部分１１の合流部１７へと帰還する。
【００６８】
第１低温側個別流路部分２２は、熱媒体ポンプ７から見て、熱源機１よりも上流側の共通流路部分１１の分岐部８から分岐して第１低温熱消費端末Ｈ３に至る。第１低温側個別流路部分２２には第１低温側熱動弁Ｖ３が設けられる。このような構成を採用することで、第１低温側熱動弁Ｖ３が開いている場合には、熱媒体が共通流路部分１１の分岐部８から第１低温側個別流路部分２２へと分岐して流れ、第１低温熱消費端末Ｈ３で熱が消費された後の熱媒体が、合流部１６及び帰還流路部分１４を通って共通流路部分１１の合流部１７へと帰還する。尚、第１低温側熱動弁Ｖ３が閉じている場合には、第１低温側個別流路部分２２に熱媒体は流れない。本実施形態では、第１低温側熱動弁Ｖ３の開閉動作は制御装置Ｃが制御する。
【００６９】
第２低温側個別流路部分２３は、熱媒体ポンプ７から見て、熱源機１よりも上流側の共通流路部分１１の分岐部２０から分岐して第２低温熱消費端末Ｈ４に至る。分岐部２０は、第２低温側個別流路部分２３が分岐する分岐部８よりも下流側に設けられている。第２低温側個別流路部分２３には第２低温側熱動弁Ｖ４が設けられる。このような構成を採用することで、第２低温側熱動弁Ｖ４が開いている場合には、熱媒体が共通流路部分１１の分岐部２０から第２低温側個別流路部分２３へと分岐して流れ、第２低温熱消費端末Ｈ４で熱が消費された後の熱媒体が、合流部２１及び帰還流路部分１４を通って共通流路部分１１の合流部１７へと帰還する。尚、第２低温側熱動弁Ｖ４が閉じている場合には、第２低温側個別流路部分２３に熱媒体は流れない。本実施形態では、第２低温側熱動弁Ｖ４の開閉動作は制御装置Ｃが制御する。
【００７０】
本実施形態でも、流量センサ１８及び流量センサ１９は、検査対象とする熱動弁Ｖの開閉に伴って熱媒体の単位時間当たりの流量が変化する部位に設けられている。
例えば、流量センサ１８は、第１低温側熱動弁Ｖ３及び第２低温側熱動弁Ｖ４を検査対象とする場合、それら第１低温側熱動弁Ｖ３及び第２低温側熱動弁Ｖ４が設けられている個別流路部分１５（第１低温側個別流路部分２２、第２低温側個別流路部分２３）が共通流路部分１１から分岐する分岐部８，２０よりも下流側、且つ、合流部１７よりも上流側に設けられている。そのため、例えば、第１低温側熱動弁Ｖ３が開くことで第１低温側個別流路部分２２を流れる熱媒体の量が増加すると、共通流路部分１１の途中の流量センサ１８が設けられている部位を流れる熱媒体の量は減少する。同様に、第２低温側熱動弁Ｖ４が開くことで第２低温側個別流路部分２３を流れる熱媒体の量が増加すると、共通流路部分１１の途中の流量センサ１８が設けられている部位を流れる熱媒体の量は減少する。
【００７１】
同様に、流量センサ１９は、高温側熱動弁Ｖ１を検査対象とする場合、その高温側熱動弁Ｖ１が設けられている個別流路部分１５（高温側個別流路部分１２）が共通流路部分１１から分岐する分岐部９よりも下流側、且つ、合流部１７よりも上流側に設けられている。そのため、高温側熱動弁Ｖ１が開くことで高温側個別流路部分１２を流れる熱媒体の量が増加すると、共通流路部分１１の途中の流量センサ１９が設けられている部位を流れる熱媒体の量は減少する。
【００７２】
次に、図５〜図８を参照して熱媒体の循環状態を説明する。図５〜図８では、熱媒体が流動する部分を太線で描いている。
図５は、高温側熱動弁Ｖ１が閉じており且つ第１低温側熱動弁Ｖ３が閉じており且つ第２低温側熱動弁Ｖ４が閉じている場合での熱媒体の循環状態を示す図である。この場合、高温側熱動弁Ｖ１が閉じているため、高温側個別流路部分１２及び高温熱消費端末Ｈ１には熱媒体は流れない。第１低温側熱動弁Ｖ３が閉じているため、第１低温側個別流路部分２２及び第１低温熱消費端末Ｈ３には熱媒体は流れない。第２低温側熱動弁Ｖ４が閉じているため、第２低温側個別流路部分２３及び第２低温熱消費端末Ｈ４には熱媒体は流れない。熱媒体は、共通流路部分１１のみを循環する。
【００７３】
図６は、高温側熱動弁Ｖ１が閉じており且つ第１低温側熱動弁Ｖ３が開いており且つ第２低温側熱動弁Ｖ４が開いている場合での熱媒体の循環状態を示す図である。つまり、第１低温熱消費端末Ｈ３及び第２低温熱消費端末Ｈ４が共に使用されている場合での循環状態である。この場合、高温側熱動弁Ｖ１が閉じているため、高温側個別流路部分１２及び高温熱消費端末Ｈ１には熱媒体が流れない。それに対して、第１低温側熱動弁Ｖ３及び第２低温側熱動弁Ｖ４が開いているため、第１低温側個別流路部分２２及び第１低温熱消費端末Ｈ３には熱媒体が流れ、第２低温側個別流路部分２３及び第２低温熱消費端末Ｈ４には熱媒体が流れる。その結果、熱媒体は、共通流路部分１１を循環するのに加えて、共通流路部分１１の分岐部８から分岐して第１低温側個別流路部分２２を流れ、第１低温熱消費端末Ｈ３及び帰還流路部分１４を経由して、共通流路部分１１の合流部１７へと流れる。加えて、熱媒体は、共通流路部分１１の分岐部２０から分岐して第２低温側個別流路部分２３を流れ、第２低温熱消費端末Ｈ４及び帰還流路部分１４を経由して、共通流路部分１１の合流部１７へと流れる。
【００７４】
図７は、高温側熱動弁Ｖ１が閉じており且つ第１低温側熱動弁Ｖ３が開いており且つ第２低温側熱動弁Ｖ４が閉じている場合での熱媒体の循環状態を示す図である。つまり、第１低温熱消費端末Ｈ３が使用されている場合での循環状態である。この場合、高温側熱動弁Ｖ１及び第２低温側熱動弁Ｖ４が閉じているため、高温側個別流路部分１２及び高温熱消費端末Ｈ１には熱媒体は流れず、第２低温側個別流路部分２３及び第２低温熱消費端末Ｈ４には熱媒体は流れない。それに対して、第１低温側熱動弁Ｖ３が開いているため、第１低温側個別流路部分２２及び第１低温熱消費端末Ｈ３には熱媒体が流れる。その結果、熱媒体は、共通流路部分１１を循環するのに加えて、共通流路部分１１の分岐部８から分岐して第１低温側個別流路部分２２を流れ、第１低温熱消費端末Ｈ３及び帰還流路部分１４を経由して、共通流路部分１１の合流部１７へと流れる。
【００７５】
図８は、高温側熱動弁Ｖ１が閉じており且つ第１低温側熱動弁Ｖ３が閉じており且つ第２低温側熱動弁Ｖ４が開いている場合での熱媒体の循環状態を示す図である。つまり、第２低温熱消費端末Ｈ４が使用されている場合での循環状態である。この場合、高温側熱動弁Ｖ１及び第１低温側熱動弁Ｖ３が閉じているため、高温側個別流路部分１２及び高温熱消費端末Ｈ１には熱媒体は流れず、第１低温側個別流路部分２２及び第１低温熱消費端末Ｈ３には熱媒体は流れない。それに対して、第２低温側熱動弁Ｖ４が開いているため、第２低温側個別流路部分２３及び第２低温熱消費端末Ｈ４には熱媒体が流れる。その結果、熱媒体は、共通流路部分１１を循環するのに加えて、共通流路部分１１の分岐部２０から分岐して第２低温側個別流路部分２３を流れ、第２低温熱消費端末Ｈ４及び帰還流路部分１４を経由して、共通流路部分１１の合流部１７へと流れる。
【００７６】
本実施形態でも、熱媒体循環路１０に熱媒体を循環させながら、熱供給システムでの所定の動作状態を表す動作状態値を測定し、その動作状態値に基づいて、異常状態の熱動弁Ｖが含まれているか否かを判定する。動作状態値は、上述した第１実施形態及び第２実施形態と同様に、熱媒体ポンプ７の消費電流値、又は、熱媒体循環路１０の途中で測定される単位時間当たりの熱媒体の流量である。以下の説明では、動作状態値が熱媒体循環路１０の途中で測定される単位時間当たりの熱媒体の流量である場合について説明するが、上記第１実施形態と同様に、動作状態値が熱媒体ポンプ７の消費電流値であってもよい。
【００７７】
〔第１低温側熱動弁Ｖ３及び第２低温側熱動弁Ｖ４の一群を検査対象とした場合〕
以下の例では、先ず、検査対象とする第１低温側熱動弁Ｖ３及び第２低温側熱動弁Ｖ４の一群が異常状態の熱動弁Ｖを含んでいるか否かを検証し、その後、第１低温側熱動弁Ｖ３及び第２低温側熱動弁Ｖ４の内の何れが異常状態であるかを検証する方法について説明する。
【００７８】
・第１測定工程（第１低温側熱動弁Ｖ３及び第２低温側熱動弁Ｖ４の一群が異常状態の熱動弁Ｖを含んでいるか否か）
本実施形態において、制御装置Ｃは、検査対象とする第１低温側熱動弁Ｖ３及び第２低温側熱動弁Ｖ４を閉じる指令を与え且つ熱媒体ポンプ７を所定の回転速度で動作させた第１動作状態で熱媒体循環路１０に熱媒体を循環させながら、熱供給システムでの所定の動作状態を表す第１の動作状態値を測定する（第１測定工程）。例えば、図５に示すように、制御装置Ｃは、第１低温側熱動弁Ｖ３及び第２低温側熱動弁Ｖ４及び高温側熱動弁Ｖ１の全てを閉じる指令を与え且つ熱媒体ポンプ７を所定の回転速度で動作させた第１動作状態で熱媒体循環路１０に熱媒体を循環させながら、流量センサ１８を用いて熱媒体の単位時間当たりの流量を測定する（第１測定工程）。この場合、熱源機１を動作させなくてもよい。
【００７９】
つまり、第１測定工程で測定する第１の動作状態値（熱媒体の単位時間当たりの流量）は、第１低温側熱動弁Ｖ３及び第２低温側熱動弁Ｖ４及び高温側熱動弁Ｖ１の全てを閉じる指令を与え且つ熱媒体ポンプ７を所定の回転速度で動作させた第１動作状態で熱媒体循環路１０に熱媒体を循環させている場合での、熱媒体循環路１０で単位時間当たりに流動する熱媒体の量に対応する。よって、第１低温側熱動弁Ｖ３及び第２低温側熱動弁Ｖ４及び高温側熱動弁Ｖ１の全てが正常に閉じていれば、第１測定工程で測定する熱媒体の単位時間当たりの流量は、図５において太線で示す共通流路部分１１のみを流動する熱媒体の量に対応した値になるはずである。
【００８０】
・第２測定工程（第１低温側熱動弁Ｖ３及び第２低温側熱動弁Ｖ４の一群が異常状態の熱動弁Ｖを含んでいるか否か）
制御装置Ｃは、上述した検査対象とする第１低温側熱動弁Ｖ３及び第２低温側熱動弁Ｖ４の一群を共に開く指令を与える以外は第１動作状態と同じ第２動作状態で熱媒体循環路１０に熱媒体を循環させながら、熱供給システムでの所定の動作状態を表す第２の動作状態値を測定する（第２測定工程）。例えば、図６に示すように、制御装置Ｃは、検査対象とする第１低温側熱動弁Ｖ３及び第２低温側熱動弁Ｖ４を開く指令を与える以外は第１動作状態と同じ第２動作状態（第１低温側熱動弁Ｖ３及び第２低温側熱動弁Ｖ４を開く指令を与え、高温側熱動弁Ｖ１を閉じる指令を与え、且つ熱媒体ポンプ７を上記第１動作状態と同じ回転速度で動作させた状態）で、熱媒体循環路１０に熱媒体を循環させながら、流量センサ１８を用いて熱媒体の単位時間当たりの流量を測定する（第２測定工程）。この場合、熱源機１を動作させなくてもよい。
【００８１】
つまり、第２測定工程で測定する第２の動作状態値（熱媒体の単位時間当たりの流量）は、第１低温側熱動弁Ｖ３及び第２低温側熱動弁Ｖ４を開く指令を与え、高温側熱動弁Ｖ１を閉じる指令を与え、且つ熱媒体ポンプ７を上記第１動作状態と同じ回転速度で動作させた状態で熱媒体循環路１０に熱媒体を循環させている場合での、熱媒体循環路１０で熱媒体の単位時間当たりの流量に対応する。よって、第１低温側熱動弁Ｖ３及び第２低温側熱動弁Ｖ４が正常に開き且つ高温側熱動弁Ｖ１が正常に閉じていれば、第２測定工程で測定する熱媒体の単位時間当たりの流量は、図６において太線で示す分岐部２０と合流部１７との間の共通流路部分１１を単位時間当たりに流動する熱媒体の量に対応した値になるはずである。
【００８２】
尚、この例では、検査対象としない高温側熱動弁Ｖ１を、第１測定工程及び第２測定工程の間、常に閉じているが、検査対象としない高温側熱動弁Ｖ１を、第１測定工程及び第２測定工程の間、常に開いていてもよい。つまり、検査対象としない高温側熱動弁Ｖ１の開閉状態を、第１測定工程及び第２測定工程の間、変化させなければよい。
【００８３】
・判定工程（第１低温側熱動弁Ｖ３及び第２低温側熱動弁Ｖ４の一群が異常状態の熱動弁Ｖを含んでいるか否か）
第２実施形態で説明したのと同様に、制御装置Ｃは、第１の動作状態値と第２の動作状態値との差が所定範囲内であれば、検査対象とする熱動弁Ｖ（第１低温側熱動弁Ｖ３及び第２低温側熱動弁Ｖ４の一群）が正常に閉じない異常状態の熱動弁Ｖを含んでいると判定し、第１の動作状態値と第２の動作状態値との差が所定範囲よりも大きければ検査対象とする熱動弁Ｖ（第１低温側熱動弁Ｖ３及び第２低温側熱動弁Ｖ４の一群）が異常状態の熱動弁Ｖを含んでいないと判定する（判定工程）。
【００８４】
次に、第１低温側熱動弁Ｖ３及び第２低温側熱動弁Ｖ４の一群が異常状態の熱動弁Ｖを含んでいると判定された場合、第１低温側熱動弁Ｖ３及び第２低温側熱動弁Ｖ４の何れが異常状態であるかを検証する場合の例について説明する。つまり、例えば、第１低温側熱動弁Ｖ３及び第２低温側熱動弁Ｖ４の一群が異常状態の熱動弁Ｖを含んでいると判定された場合、その内の一方の熱動弁Ｖが異常状態であるか否かの判定を行えば、どちらの熱動弁Ｖが異常状態であるかを判定できる。以下の例では、第１低温側熱動弁Ｖ３を検査対象として、第１低温側熱動弁Ｖ３が異常状態であるか否かを判定するが、第２低温側熱動弁Ｖ４を検査対象としてもよい。
【００８５】
・第１測定工程（第１低温側熱動弁Ｖ３が異常状態であるか否か）
制御装置Ｃは、検査対象とする第１低温側熱動弁Ｖ３を閉じる指令を与え且つ熱媒体ポンプ７を所定の回転速度で動作させた第１動作状態で熱媒体循環路１０に熱媒体を循環させながら、熱供給システムでの所定の動作状態を表す第１の動作状態値を測定する（第１測定工程）。例えば、図５に示すように、制御装置Ｃは、第１低温側熱動弁Ｖ３及び第２低温側熱動弁Ｖ４及び高温側熱動弁Ｖ１の全てを閉じる指令を与え且つ熱媒体ポンプ７を所定の回転速度で動作させた第１動作状態で熱媒体循環路１０に熱媒体を循環させながら、流量センサ１８を用いて熱媒体の単位時間当たりの流量を測定する（第１測定工程）。この場合、熱源機１を動作させなくてもよい。
【００８６】
つまり、第１測定工程で測定する第１の動作状態値（熱媒体の単位時間当たりの流量）は、第１低温側熱動弁Ｖ３及び第２低温側熱動弁Ｖ４及び高温側熱動弁Ｖ１の全てを閉じる指令を与え且つ熱媒体ポンプ７を所定の回転速度で動作させた第１動作状態で熱媒体循環路１０に熱媒体を循環させている場合での、熱媒体循環路１０で単位時間当たりに流動する熱媒体の量に対応する。よって、第１低温側熱動弁Ｖ３及び第２低温側熱動弁Ｖ４及び高温側熱動弁Ｖ１の全てが正常に閉じていれば、第１測定工程で測定する熱媒体の単位時間当たりの流量は、図５において太線で示す共通流路部分１１のみを流動する熱媒体の量に対応した値になるはずである。
【００８７】
・第２測定工程（第１低温側熱動弁Ｖ３が異常状態であるか否か）
制御装置Ｃは、上述した検査対象とする第１低温側熱動弁Ｖ３を開く指令を与える以外は第１動作状態と同じ第２動作状態で熱媒体循環路１０に熱媒体を循環させながら、熱供給システムでの所定の動作状態を表す第２の動作状態値を測定する（第２測定工程）。例えば、図７に示すように、制御装置Ｃは、検査対象とする第１低温側熱動弁Ｖ３を開く指令を与える以外は第１動作状態と同じ第２動作状態（第１低温側熱動弁Ｖ３を開く指令を与え、第２低温側熱動弁Ｖ４及び高温側熱動弁Ｖ１を閉じる指令を与え、且つ熱媒体ポンプ７を上記第１動作状態と同じ回転速度で動作させた状態）で、熱媒体循環路１０に熱媒体を循環させながら、流量センサ１８を用いて熱媒体の単位時間当たりの流量を測定する（第２測定工程）。この場合、熱源機１を動作させなくてもよい。
【００８８】
つまり、第２測定工程で測定する第２の動作状態値（熱媒体の単位時間当たりの流量）は、第１低温側熱動弁Ｖ３を開く指令を与え、第２低温側熱動弁Ｖ４及び高温側熱動弁Ｖ１を閉じる指令を与え、且つ熱媒体ポンプ７を上記第１動作状態と同じ回転速度で動作させた状態で熱媒体循環路１０に熱媒体を循環させている場合での、熱媒体循環路１０で熱媒体の単位時間当たりの流量に対応する。よって、第１低温側熱動弁Ｖ３が正常に開き且つ第２低温側熱動弁Ｖ４が正常に閉じ且つ高温側熱動弁Ｖ１が正常に閉じていれば、第２測定工程において流量センサ１８で測定する熱媒体の単位時間当たりの流量は、図７において太線で示す分岐部２０と合流部１７との間の共通流路部分１１を単位時間当たりに流動する熱媒体の量に対応した値になるはずである。
【００８９】
尚、この例では、検査対象としない第２低温側熱動弁Ｖ４及び高温側熱動弁Ｖ１を、第１測定工程及び第２測定工程の間、常に閉じているが、検査対象としない第２低温側熱動弁Ｖ４及び高温側熱動弁Ｖ１を、第１測定工程及び第２測定工程の間、常に開いていてもよい。つまり、検査対象としない第２低温側熱動弁Ｖ４及び高温側熱動弁Ｖ１の開閉状態を、第１測定工程及び第２測定工程の間、変化させなければよい。
【００９０】
・判定工程（第１低温側熱動弁Ｖ３が異常状態であるか否か）
制御装置Ｃは、第１の動作状態値と第２の動作状態値との差が所定範囲内であれば、検査対象とする熱動弁Ｖ（第１低温側熱動弁Ｖ３）が正常に閉じない異常状態の熱動弁Ｖを含んでいると判定し、第１の動作状態値と第２の動作状態値との差が所定範囲よりも大きければ検査対象とする熱動弁Ｖ（第１低温側熱動弁Ｖ３）が異常状態の熱動弁Ｖを含んでいないと判定する（判定工程）。
【００９１】
＜別実施形態＞
＜１＞
上記実施形態では、本発明の熱供給システムの検査方法について具体例を挙げて説明したが、その構成は適宜変更可能である。
例えば、上記実施形態では、高温熱消費端末Ｈ１及び低温熱消費端末Ｈ２という２つの熱消費端末Ｈに熱媒体を供給する例、並びに、高温熱消費端末Ｈ１及び第１低温熱消費端末Ｈ３及び第２低温熱消費端末Ｈ４という３つの熱消費端末Ｈに熱媒体を供給する例を説明したが、４つ以上の熱消費端末Ｈに対して熱媒体を供給するような熱供給システムであっても構わない。
【００９２】
上記実施形態において、熱媒体循環路１０の構成や熱媒体循環路１０の途中に設けられる機器の種類や数なども、上記実施形態で説明したものから適宜変更可能である。
また、流量センサ１８及び流量センサ１９を設ける位置も適宜変更可能である。
【００９３】
上記実施形態において、第１測定工程及び第２測定工程の何れを先に実施してもよい。
【００９４】
＜２＞
上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００９５】
本発明は、熱動弁の故障を適切に検出可能な熱供給システムに利用できる。
【符号の説明】
【００９６】
１  熱源機
７  熱媒体ポンプ
１０  熱媒体循環路
１１  共通流路部分
１２  高温側個別流路部分（個別流路部分  １５）
１３  低温側個別流路部分（個別流路部分  １５）
２２  第１低温側個別流路部分（個別流路部分  １５）
２３  第２低温側個別流路部分（個別流路部分  １５）
Ｈ  熱消費端末
Ｈ１  高温熱消費端末
Ｈ２  低温熱消費端末
Ｈ３  第１低温熱消費端末
Ｈ４  第２低温熱消費端末
Ｖ１  高温側熱動弁（熱動弁  Ｖ）
Ｖ２  低温側熱動弁（熱動弁  Ｖ）
Ｖ３  第１低温側熱動弁（熱動弁  Ｖ）
Ｖ４  第２低温側熱動弁（熱動弁  Ｖ）
【図１】
2020056544.tif 000003
【図２】
2020056544.tif 000004
【図３】
2020056544.tif 000005
【図４】
2020056544.tif 000006
【図５】
2020056544.tif 000007
【図６】
2020056544.tif 000008
【図７】
2020056544.tif 000009
【図８】
2020056544.tif 000010